(57)【要約】【課題】イオン発生装置等の電子装置を収納する収納室内に水等の液体が浸入した場合でも、制御基板が濡れることはなく、制御基板の短絡を防止することができる扇風機を提供することを課題とする。【解決手段】上方に支柱部３を立設するスタンド１，２と、スタンド１，２の上方に位置する送風部１０と、スタンド１，２内に配置され、送風部１０を制御する制御基板１２と、制御基板１２近傍のスタンド１，２内に配置された電子装置１８と、スタンド１，２に形成され、電子装置１８を囲繞する収納室１４と、電子装置１８上方を覆うカバー２１とを備え、収納室１４は、平面的に見て制御基板１２と重ならない位置で下方に開口する開口部１７を有する。【選択図】        図５
2004300990.tif 000002
【特許請求の範囲】
【請求項１】
上方に支柱部を立設するスタンドと、該スタンドの上方に位置する送風部と、前記スタンド内に配置され、前記送風部を制御する制御基板と、該制御基板近傍のスタンド内に配置された電子装置と、前記スタンドに形成され、前記電子装置を囲繞する収納室と、前記電子装置上方を覆うカバーとを備え、前記収納室は、平面的に見て制御基板と重ならない位置で下方に開口する開口部を有することを特徴とする扇風機。
【請求項２】
上方に支柱部を立設するスタンドと、該スタンドの上方に位置する送風部と、前記スタンド内に配置され、前記送風部を制御する制御基板と、該制御基板近傍のスタンド内に配置され、マイナスイオンを発生させるイオン発生装置と、前記スタンドに形成され、前記イオン発生装置を囲繞する収納室と、前記イオン発生装置上方を覆うと共に、イオン放出口を有するカバーとを備え、前記収納室は、平面的に見て制御基板と重ならない位置で下方に開口する開口部を有することを特徴とする扇風機。
【請求項３】
前記開口部を、前記制御基板より下方の高さ位置に形成したことを特徴とする請求項１または請求項２記載の扇風機。
【請求項４】
前記電子装置を、前記収納室の内壁にて位置決めしたことを特徴とする請求項１または請求項２記載の扇風機。
【請求項５】
前記制御基板を、前記収納室の外壁にて位置決めしたことを特徴とする請求項１または請求項２記載の扇風機。
【請求項６】
前記収納室内に流入した水等の液体を、前記開口部を介してスタンド外に案内する案内部を設けたことを特徴とする請求項１または請求項２記載の扇風機。
【請求項７】
前記案内部を、スタンド内に形成された孔とスタンド内に流下した水等の液体を前記孔に案内する突出壁で構成すると共に、該突出壁により前記制御基板を支持したことを特徴とする請求項６記載の扇風機。
【請求項８】
前記送風部を覆うガードに把手を設け、重心を把手に対して制御基板側に設けると共に、前記突出壁を、上方から見て制御基板側に向かって開放された山形状に形成したことを特徴とする請求項７記載の扇風機。
【請求項９】
前記孔を、平面的に見て制御基板と重ならない位置に形成したことを特徴とする請求項８記載の扇風機。
【発明の詳細な説明】
【０００１】
【発明の属する技術分野】
本発明は、スタンド内にマイナスイオンを発生させるイオン発生装置等の電子装置を備えた扇風機に関する。
【０００２】
【従来の技術】
この種の扇風機においては、マイナスイオンを発生させるイオン発生装置をスタンド内の制御基板の上方に配置し、イオン発生装置から発生するマイナスイオンをスタンドに形成されたイオン放出口からスタンド外の空気中へ放出させるものがある。（例えば、特許文献１参照）
【０００３】
【特許文献１】
特願２００１−３７１９９１号（第１頁、第２図）
【０００４】
【発明が解決しようとする課題】
しかしながら、誤ってスタンド上に水等の液体を零した場合、イオン放出口からスタンドベース内に液体が浸入してイオン放出口の下方に位置する制御基板が濡れてしまい、制御基板が短絡して制御回路が壊れてしまう虞があった。
【０００５】
本発明は、このような課題を解決するためになされたものであり、イオン発生装置等の電子装置を収納する収納室内に水等の液体が浸入した場合でも、制御基板が濡れることはなく、制御基板の短絡を防止することができる扇風機を提供することを課題とする。
【０００６】
【課題を解決するための手段】
上記課題を解決するための第１の手段は、上方に支柱部を立設するスタンドと、該スタンドの上方に位置する送風部と、前記スタンド内に配置され、前記送風部を制御する制御基板と、該制御基板近傍のスタンド内に配置された電子装置と、前記スタンドに形成され、前記電子装置を囲繞する収納室と、前記電子装置上方を覆うカバーとを備え、前記収納室は、平面的に見て制御基板と重ならない位置で下方に開口する開口部を有することを特徴とする扇風機。
【０００７】
上記課題を解決するための第２の手段は、上方に支柱部を立設するスタンドと、該スタンドの上方に位置する送風部と、前記スタンド内に配置され、前記送風部を制御する制御基板と、該制御基板近傍のスタンド内に配置され、マイナスイオンを発生させるイオン発生装置と、前記スタンドに形成され、前記イオン発生装置を囲繞する収納室と、前記イオン発生装置上方を覆うと共に、イオン放出口を有するカバーとを備え、前記収納室は、平面的に見て制御基板と重ならない位置で下方に開口する開口部を有することを特徴とする扇風機。
【０００８】
上記課題を解決するための第１の手段または第２の手段において、前記開口部を、前記制御基板より下方に形成することが好ましい。
【０００９】
上記課題を解決するための第１の手段または第２の手段において、前記電子装置を、前記収納室内壁にて位置決めすることが好ましい。
【００１０】
上記課題を解決するための第１の手段または第２の手段において、前記制御基板を、前記収納室の外壁にて位置決めすることが好ましい。
【００１１】
上記課題を解決するための第１の手段または第２の手段において、前記収納室内に流入した水等の液体を、前記開口部を介してスタンド外に案内する案内部を設けることが好ましい。
【００１２】
上記課題を解決するための第１の手段または第２の手段において、前記案内部を、スタンド内に形成された孔とスタンド内に流下した水等の液体を前記孔に案内する突出壁で構成すると共に、該突出壁により前記制御基板を支持することが好ましい。
【００１３】
上記課題を解決するための第１の手段または第２の手段において、前記送風部を覆うガードに把手を設け、重心を把手に対して制御基板側に設けると共に、前記突出壁を、上方から見て制御基板側に向かって開放された山形状に形成することが好ましい。
【００１４】
上記課題を解決するための第１の手段または第２の手段において、前記孔を、平面的に見て制御基板と重ならない位置に形成することが好ましい。
【００１５】
【発明の実施の形態】
本発明の扇風機の一実施の形態を図１〜図１１に基づいて説明する。
【００１６】
１は設置面に設置されるスタンドベースで、該スタンドベース１の内周にベース部２を載置している。前記スタンドベース１及びベース部２によりスタンドを構成している。３は該ベース部２に着脱自在に装着される支柱部、４は該支柱部３内を上下動自在にスライドするスライドパイプで、該スライドパイプ４上端にはネックピース５を介してモータ６、該モータ６により回転するファン７、該ファン７を覆う前ガード８及び後ガード９からなる送風部１０が載置されている。
【００１７】
１１は前記後ガード９に形成された把手である。扇風機の重心は、把手１１より前方側に位置しており、扇風機を持ち運びする際等に把手１１を握って持ち上げると、把手１１を中心にして扇風機は前方に傾斜するようになっている。
【００１８】
図４に示すように、１２は前記ベース部２内に、後述する収納室１４の第２位置決め部１６（図１０参照）により位置決め配置された制御基板で、前記送風部１０のモータ６を制御するようになっている。１３は前記制御基板１２上方の前記ベース部２に形成された操作部で、該操作部１３の操作により制御基板１２に信号を入力し、前記モータ６の回転数等を調整できるようになっている。
【００１９】
１４は前記ベース部２に形成され、後述するイオン発生装置１８を囲繞する収納室（図８参照）で、内壁側に後述するイオン発生装置１８の一対の鍔部１８ａに係合してイオン発生装置１８を位置決めする第１位置決め部１５（図１５参照）を形成すると共に、外壁側に前記制御基板１２の凹部１２ａに係合して制御基板１２を位置決めする第２位置決め部１６を形成している（図１０参照）。また、前記収納室１４の底部には、前記制御基板１２を外れた位置で且つ制御基板１２より下方に開口する開口部１７を形成している（図５、図１１参照）。
【００２０】
１８はマイナスイオンを発生させるイオン発生装置で、イオン発生装置１８に形成された一対の鍔部１８ａが、前記収納室１４内の第１位置決め部１５により位置決めされ、イオン吹出口１９を斜め前方上方に向けて、螺子２０により固定されている。前記イオン発生装置１８は、収納室１４の第１位置決め部１５により位置決めされるため、組立作業性を向上させることができるようになっている。２１はカバーで、前記イオン発生装置１８を覆うと共に、イオン発生装置１８から発生するマイナスイオンを外部に放出するイオン放出口２２を開口している。
【００２１】
イオン放出口２２を斜め前方上方に向けている理由は、イオン放出口２２を真上に向けた場合は、発生したマイナスイオンが支柱部３に吸着してしまい、マイナスイオン量が減少したり、また、イオン放出口２２を真横にした場合は、マイナスイオンは水平方向に流れるため、ファン７の送風の影響を受けづらく、マイナスイオンの拡散に不利になるためである。
【００２２】
本実施の形態においては、イオン放出口２２を斜め前方上方に向けているため、斜め上方前方に流れたマイナスイオンはファン７の風に乗り部屋中に効率よく拡散される。
【００２３】
図５、図１１及び図１２に示すように、２３は前記スタンドベース１に、ベース部２に向かって突出するように形成された突出壁で、上方から見て前記収納室１４の開口部１７より前方位置を始点（図５参照）として前方に向かって開放する山形状に形成されている（図１１参照）。また、前記突出壁２３の上端は上下方向に凹凸状に形成されており、凸部２４は前記制御基板１２に当接している（図１２参照）。２５（図１１参照）は前記スタンドベース１に形成された水抜き用の一対の孔で、前記突出壁２３の後に接して且つ前記制御基板１２の下方投影領域外に位置すると共に（図１１参照）、突出壁２３により案内された前記開口部１７からスタンドベース１上に流下した水を外部に排出するようになっている。
【００２４】
而して、扇風機の使用中に、誤って水等の液体を扇風機上に零してしまった場合、カバー２１のイオン放出口２２からイオン発生装置１８を囲繞する収納室１４内に水等の液体が浸入する虞がある。
【００２５】
しかしながら、イオン発生装置１８を囲繞する収納室１４の底部には、制御基板１２の支柱部３側の位置で且つ制御基板１２より下方の高さ位置で開口する開口部１７を形成しているため（図５、図１１参照）、イオン放出口２２から収納室１４内に浸入した水等の液体は、制御基板１２を濡らすことなく収納室１４の開口部１７からスタンドベース１上に流下する。スタンドベース１上に流下した水等の液体は、突出壁２３により孔２５に案内されて孔２５から外部に排出される。
【００２６】
さらに、把手１１を握って扇風機を持ち運ぶ際、扇風機の重心は把手１１対して前方側、即ち、制御基板１２側に位置するため、扇風機は前方に傾斜する。
【００２７】
突出壁２３は前方に向かって開放する山形状に形成されているため、スタンドベース１内に流下した水等の液体は突出壁２３により左右に分散され（図１１参照）、浸入した水等の液体が多量の場合でも、突出壁２３を乗り越えることを防止できる。
【００２８】
また、突出壁２３は前後方向に対して交差する方向に形成されているため、突出壁２３に沿って水等の液体が流れやすくなりため、孔２５を介して外部に水等の液体を排出しやすくなり、扇風機内に浸入した水等の液体により制御基板１２が濡れることを確実に防止できる。
【００２９】
また、前記孔２５は前記制御基板１２の下方投影領域外に形成されているため、誤って孔２５内に物を挿入した際、物が制御基板１２に当ることはなく、制御基板１２の破損を防止できる。
【００３０】
さらに、制御基板１２は突出壁２３により支持されているため、操作部１３を操作した際に制御基板１２に無理な力が加わって、制御基板１２が破損するようなこともない。
【００３１】
また、制御基板１２はイオン発生装置１８を囲繞する収納室１４の第２位置決め部１６により位置決めされるため、組立作業性を向上させることができる。
【００３２】
尚、本実施の形態においては、収納室１４内にイオン発生装置１８を収納した場合について詳述したが、これに限定されるものではなく、遠隔操作装置の受光部や超音波発生装置等の他の電子装置を収納室１４内に収納してもよい。
【００３３】
【発明の効果】
本発明の請求項１の構成によれば、電子装置を囲繞する収納室内に侵入した水等の液体は制御基板を外れた位置に流下するため、制御基板が濡れることを防止することができる等の効果を奏する。
【００３４】
本発明の請求項２の構成によれば、イオン発生装置を囲繞する収納室内に侵入した水等の液体は制御基板を外れた位置に流下するため、制御基板が濡れることを防止することができる等の効果を奏する。
【００３５】
本発明の請求項３の構成によれば、イオン発生装置等の電子装置を囲繞する収納室内に侵入した水等の液体は制御基板より下方から流下するため、制御基板が濡れることを防止することができる等の効果を奏する。
【００３６】
本発明の請求項４の構成によれば、イオン発生装置等の電子装置を収納室の内壁にて位置決めすることができ、簡単な構成によりイオン発生装置等の電子装置の組立作業性を向上させることができる等の効果を奏する。
【００３７】
本発明の請求項５の構成によれば、制御基板を収納室の外壁にて位置決めすることができ、簡単な構成によりイオン発生装置の組立作業性を向上させることができる等の効果を奏する。
【００３８】
本発明の請求項６の構成によれば、収納室内に流入した水を、案内部にてスタンド外に排出することができ、制御基板の濡れを確実に防止することができる等の効果を奏する。
【００３９】
本発明の請求項７の構成によれば、簡単な構成により制御基板の濡れを防止することができると共に、制御基板に無理な力が加わることによる制御基板の破損を防止することができる等の効果を奏する。
【００４０】
本発明の請求項８の構成によれば、スタンド内に流入した水を分散させてスタンド外に排出させることができ、多量の水を突出壁により案内する際に、水が突出壁を乗り越えることを防止することができ、確実に水を孔に案内することができる等の効果を奏する。
【００４１】
本発明の請求項９の構成によれば、誤って孔内に物を挿入した際に、制御基板の破損を防止することができる等の効果を奏する。
【図面の簡単な説明】
【図１】本発明の一実施形態の扇風機の側面図である。
【図２】同扇風機のスタンドを構成するベース部の斜視図であって、カバーを取り外した状態を示す。
【図３】同扇風機のスタンドの外観斜視図である。
【図４】同スタンドの分解断面図である。
【図５】同スタンドの断面図である。
【図６】同スタンドを構成するベース部のイオン発生装置を外した状態におけるイオン発生装置取付部分の裏面図である。
【図７】同ベース部のイオン発生装置を取付けた状態におけるイオン発生装置取付部分の裏面図である。
【図８】同ベース部のイオン発生装置を外した状態における裏面側から見た斜視図である。
【図９】同ベース部のイオン発生装置を取付けた状態における裏面側から見た斜視図である。
【図１０】同ベース部の制御基板を装着した状態における裏面図である。
【図１１】同ベース部の上面図であって、一部分を断面で示す。
【図１２】図１１におけるＭ矢視断面図である。
【符号の説明】
１            スタンドベース（スタンド）
２      ベース部（スタンド）
３      支柱部
１０    送風部
１２    制御基板
１４    収納室
１７    開口部
１８    イオン発生装置
２１    カバー
【図１】
2004300990.tif 000003
【図２】
2004300990.tif 000004
【図３】
2004300990.tif 000005
【図４】
2004300990.tif 000006
【図５】
2004300990.tif 000007
【図６】
2004300990.tif 000008
【図７】
2004300990.tif 000009
【図８】
2004300990.tif 000010
【図９】
2004300990.tif 000011
【図１０】
2004300990.tif 000012
【図１１】
2004300990.tif 000013
【図１２】
2004300990.tif 000014